(57)【特許請求の範囲】
【請求項１】
電子機器に装着されて電源を供給するバッテリパックにおいて、
前記電源を出力する電池と、
前記電池と積層されて保持される樹脂成形体と、
前記電池、前記樹脂成形体とを保持する外装ケースとを備え、
前記樹脂成形体が、
前記電池に沿って、
前記電池側面に、電子部品を面実装してなる第１の配線基板と、
前記電池側とは逆側の面に、電子部品を面実装し、前記電池側面に、電子部品を実装していない第２の配線基板とを保持し、
前記第１の配線基板に面実装された前記電子部品が、
前記電池の電力を制御する制御回路である
ことを特徴とするバッテリパック。
【請求項２】
前記第１及び第２の配線基板が接続され、
前記外装ケースの前記電力を出力する端子が形成されてなる部位において、前記第２の配線基板が前記電子機器に接続される
ことを特徴とする請求項１に記載のバッテリパック。
【請求項３】
前記第２の配線基板は、
前記第１の配線基板を介して前記電子機器に接続される
ことを特徴とする請求項１に記載のバッテリパック。
【請求項４】
前記樹脂成形体は、
前記第２の配線基板に実装された前記電子部品に対応する部位に、開口が形成された
ことを特徴とする請求項１に記載のバッテリパック。
【請求項５】
前記第２の配線基板に面実装された前記電子部品が、
外部機器との間の入出力回路を構成する
ことを特徴とする請求項１に記載のバッテリパック。
【請求項６】
前記外部機器が、
キャッシュカード形状によるＩＣカードであり、
前記外装ケース及び前記樹脂成形体は、
前記電池とは逆側に、前記ＩＣカードを差し込む空隙を形成する
ことを特徴とする請求項１に記載のバッテリパック。
【請求項７】
前記電池が、
非水系二次電池であり、
前記制御回路は、
前記電池からの前記電力の供給の制御に加えて、前記電池の充電を制御する
ことを特徴とする請求項１に記載のバッテリパック。
【発明の詳細な説明】
【０００１】
【発明の属する技術分野】
本発明は、バッテリパックに関し、例えばＰＤＡ（Ｐｅｒｓｏｎａｌ  Ｄｉｇｉｔａｌ  Ａｓｓｉｓｔａｎｔｓ  ）に適用することができる。本発明は、電池側の面に電子部品を面実装してなる第１の配線基板と、これとは逆側の面に電子部品を面実装し、電池側の面に、電子部品を面実装していない第２の配線基板とを、電池に沿って配置することにより、厚みの増大を極力少なくして、ＩＣカード等のインターフェースを兼用することができるようにする。
【０００２】
【従来の技術】
従来、個人用の情報携帯端末においては、携帯してコンピュータに取り込んだ種々の情報の確認等に利用されるようになされ、このため携帯に不便とならないように小型形状により作成され、さらには薄型形状により形成されて胸のポケット等に収めることができるようになされている。
【０００３】
またこのため情報携帯端末においては、駆動用のバッテリパックを交換可能に保持し、必要に応じてバッテリパックを交換して、電池切れにより使用困難とならないようになされている。またバッテリパックにおいても、薄型により形成して、携帯性を損なわないようになされている。
【０００４】
【発明が解決しようとする課題】
ところでこのような情報携帯端末においては、種々の情報機器に接続可能とすることにより、携帯して使用可能な範囲を拡大することができ、一段と利便性を向上することができる。
【０００５】
しかしながらこの種の情報携帯端末においては、小型形状により形成されていることにより、このような各種機器に接続可能なインターフェースを設けるスペースも限られ、これにより接続可能な機器が制限される欠点がある。
【０００６】
この欠点を解決する１つの方法として、この種のインターフェースをバッテリパックで兼用することが考えられ、このようにすればこの種の情報携帯端末に接続可能な機器を従来に比して一段と増大できると考えられる。
【０００７】
すなわち、例えばクレジットカード形状のＩＣカードを接続可能として、このＩＣカードに記録された個人情報等をアクセスできるようにする場合、情報携帯端末に装着した際に露出するバッテリパックの側面等に開口を形成し、この開口よりＩＣカードを装着できるようにすることにより、さらにはこのようにして装着したＩＣカード、情報携帯端末との入出力回路をバッテリパックに設けることにより、バッテリパックを利用してＩＣカードを利用可能とすることができると考えられる。
【０００８】
しかしながらこのようにバッテリパックを利用してＩＣカードのインターフェースを構成する場合にあっては、バッテリパック内の限られた空間に、二次電池との間で十分な絶縁を確保して、この種の入出力回路等を確実に保持することが必要になる。特に、この種の情報携帯端末においては、薄型に作成することが求められることにより、このようにＩＣカードのインターフェースを兼用するように構成した場合でも、厚みの増大を極力、少なくすることが求められる。
【０００９】
本発明は以上の点を考慮してなされたもので、厚みの増大を極力少なくして、ＩＣカード等のインターフェースを兼用することができるバッテリパックを提案しようとするものである。
【００１０】
【課題を解決するための手段】
かかる課題を解決するため請求項１の発明においては、樹脂成形体が、電池に沿って、電池側面に、電子部品を面実装してなる第１の配線基板と、電池側とは逆側の面に、電子部品を面実装し、電池側面に、電子部品を面実装していない第２の配線基板とを保持し、この第１の配線基板に面実装された電子部品が、電池の電力を制御する制御回路であるようにする。
【００１１】
請求項１の構成によれば、電池に沿って、電池側面に、電子部品を面実装してなる第１の配線基板と、電池側とは逆側の面に、電子部品を面実装し、電池側面に、電子部品を面実装していない第２の配線基板とを保持することにより、この第１の配線基板においては、実装部品が電池に近接して保持され、この電子部品については電池との間の熱的な結合が大きくなる。また第１の配線基板においては、実装部品を適宜選定することにより、実装部品が電池に密着するように保持しても、半田付けの部位等については、実装部品に応じた空間距離を確保することができる。これに対して第２の配線基板においては、電池に極めて近接して保持することができる。これによりこの第１の配線基板に面実装された電子部品が、電池の電力を制御する制御回路であるようにすれば、電池の温度による電力の制御を向上し、また十分な空間距離により安全性を確保することができる。これに対して第２の配線基板においては、制御回路に比して安全性に比較的考慮を払う必要の無いＩＣカード等の入出力回路を構成して、電池に沿った方向の十分なスペースを利用してこれらを配置することができ、これらにより厚みの増大を防止することができる。これらにより全体的な厚みの増大を極力少なくして、ＩＣカード等のインターフェースを兼用することができる。
【００１２】
【発明の実施の形態】
以下、適宜図面を参照しながら本発明の実施の形態を詳述する。
【００１３】
（１）実施の形態の構成
図２は、本発明の実施の形態に係る情報携帯端末を背面側より示す斜視図である。この情報携帯端末１は、ＰＤＡであり、表面に液晶表示パネルが設けられ、また表面等に各種操作子、インターフェースが配置され、これにより例えばパーソナルコンピュータ等に接続してパーソナルコンピュータの情報をアップロードして確認できるようになされ、またパーソナルコンピュータに各種の情報をダウンロードできるようになされている。
【００１４】
この情報携帯端末１は、背面に、バッテリパック２を装着可能に凹部１Ａが形成され、またこの凹部１Ａの根元の部分にバッテリパック２の電源等を受けるコネクタ１Ｂが設けられる。またこの凹部１Ａの側面に、バッテリパック２を係止する係止片等が形成される。これにより情報携帯端末１は、矢印Ａにより示すように、バッテリパック２を凹部１Ａに押し当ててスライドさせることにより、バッテリパック２を装着し、このバッテリパック２の電源により動作できるようになされている。またさらにはこれとは逆にバッテリパック２を操作して、バッテリパック２を取り外すことができるようになされている。
【００１５】
情報携帯端末１は、このバッテリパック２を介して、裏面に接点を有してなるキャッシュカード形状のＩＣカード３を装着できるように構成される。このため情報携帯端末１は、コネクタ１Ｂに、電源端子、このバッテリパック２を介したＩＣカード３のアクセスに必要な各種端子が配置されるようになされている。
【００１６】
またバッテリパック２においては、凹部１Ａを覆って、情報携帯端末１の背面より全体が飛び出すように形成され、情報携帯端末１の下端側に対応する側面に、ＩＣカード３を差し込む開口２Ａが形成され、さらにこの開口２Ａの奥に、ＩＣカード３を受ける端子、この端子に接続される入出力回路等が設けられるようになされている。これにより情報携帯端末１においては、バッテリパック２を装着した後、矢印Ｂにより示すように、ＩＣカード３をバッテリパック２の開口２Ａに押し込むことにより、バッテリパック２を介してＩＣカード３をアクセスできるようになされている。
【００１７】
図１は、バッテリパック２を示す分解斜視図である。バッテリパック２は、上ケース４及び下ケース５による外装ケースにより全体を覆って、薄板形状により形成される。
【００１８】
下ケース５は、樹脂材料を射出成形して、両長辺、一方の短辺に壁面が形成されてなる略長方形形状により形成される。下ケース５は、この両長辺の外側面に、情報携帯端末１の凹部１Ａに形成された係止片と噛み合う突起５Ａが形成され、これにより情報携帯端末１に装着できるようになされている。
【００１９】
また下ケース５は、情報携帯端末１のコネクタ１Ｂに対応する個所に長方形形状の開口５Ｂが形成され、この開口５Ｂを内側より覆い隠して、短辺に沿って延長するように、内側壁面に密着して配線基板６が配置される。
【００２０】
ここでこの配線基板６には、開口５Ｂにより露出する部位に、コネクタ１Ｂに対応する電極６Ｂが配置され、バッテリパック２においては、この電極６Ｂを介して、情報携帯端末１に電源を供給し、また充電装置に装着して充電用の電力を入力することができるようになされ、さらにはこの電極６Ｂを介してＩＣカード３との間で入出力するデータ等を送受できるようになされている。このため配線基板６は、内側面が表面実装に係る部品実装面に設定され、このＩＣカード３に係る電極６Ｂについて、サージ電圧対策用のツェナーダイオードがこの部品実装面に配置され、さらにこのＩＣカード３に係る電極６Ｂの接続を後述する入出力回路に導くコネクタ６Ｃがこの部品実装面に実装されるようになされている。また同様に、二次電池との間で電力を入出力する端子６Ｄが配置されるようになされている。
【００２１】
これらのうち端子６Ｄは、配線基板６の長手方向、両端部に設けられて、十分な間隔が設けられる。また端子６Ｄは、所定の金属板材を加工して形成され、先端が上ケース４側に延長するように半田付けして配置され、これにより十分に電力損失を低減できるように構成される。これに対してコネクタ６Ｃは、長手方向のほぼ中央の部分に配置され、可撓性を有するシート状の配線材料であるフレキシブル配線基板１０のコネクタにより形成される。これによりこのバッテリパック２では、ＩＣカード３の内部配線用にフレキシブル配線基板１０を適用して、その分、形状を小型化するようになされている。
【００２２】
さらに下ケース５は、長辺側、内側壁面に、凹部５Ｃが形成され、この凹部５Ｃによりスペーサー７を位置決めして保持する。ここでスペーサー７は、樹脂を射出成形して形成され、この凹部５Ｃによって、上ケース４及び下ケース５による外装ケースの内側壁面に位置決めされて保持される。すなわちスペーサー７は、下ケース５の凹部５Ｃに対応して凸部７Ａが外側壁面に形成され、凹部５Ｃに凸部７Ａが噛み合って、バッテリパック２の長手方向に変位しないように、また下ケース５との間で所定の空隙を形成するように、下ケース５に配置される。
【００２３】
バッテリパック２においては、これによりスペーサー７により区切られる内部空間のうち、情報携帯端末１側の一方の内部空間については、スペーサー７と下ケース５とにより形成し、この内部空間に二次電池８を保持するようになされている。
【００２４】
ここで二次電池８は、板形状による非水系二次電池であり、正極及び負極にそれぞれ金属板材による端子８Ａ及び８Ｂが接続されるようになされ、この端子８Ａ及び８Ｂの先端が、配線基板６の端子６Ｄの内側にて、上ケース４側に延長するように形成される。
【００２５】
スペーサー７は、図３に示すように、凸部７Ａが形成されて、下ケース５の内側壁面に沿って延長する棒状の側板７Ｂと、この側板７Ｂ間を接続する底板７Ｃとにより形成される。スペーサー７は、長手方向の略中央部分からＩＣカード３を差し込んで奥側となる側において、底板７Ｃに大きく切り欠き７Ｄが形成されるようになされている。またこの長手方向の略中央部分よりＩＣカード３を差し込む側においては、中央の部分を避けて、両側板７Ｂ側に、それぞれ所定の大きさによる開口７Ｅ及び７Ｆが底板７Ｃに形成されるようになされている。
【００２６】
スペーサー７は、このように切り欠き７Ｄ及び開口７Ｅ、７Ｆを形成して残る部位のうち、一方の開口７Ｅ側の部位、他方の開口７Ｆの根元側の部位を除いて、底板７Ｃ、側板７Ｂの上側面が同一の高さにより形成され、この同一の高さにより形成された面によりＩＣカード３の下側面をガイドするようになされている。またこのようなガイドに供さない一方の開口７Ｅ側の部位、他方の開口７Ｆの根元側の部位については、薄肉により形成され、その分、樹脂材料の使用量を低減し、全体重量の増大を防止するようになされている。これらによりバッテリパック２においては、このようにＩＣカード３の下側面をガイドする部位については、ＩＣカード３の両縁部に対応する側板７Ｂと、これら側板７Ｂの中央の差し込み側の部位を確保し、これにより確実にＩＣカード３をガイドすることができるようになされている。
【００２７】
スペーサー７は、このようにして開口７Ｅ、７Ｆ、切り欠き７Ｄが形成されてなる底板７Ｃの二次電池８側面に、第１及び第２の配線基板９及び１１が二次電池８に沿って配置され、これら配線基板９及び１１がフレキシブル配線基板１２により接続され、また配線基板６側の配線基板９がフレキシブル配線基板１０により配線基板６と接続される。さらにこれら配線基板９及び１１のうち、ＩＣカード３を差し込んで奥側となる配線基板９にＩＣカード３の端子に接続するコネクタ９Ａ、ＩＣカード３の挿入を検出するスイッチ９Ｂが配置され、ＩＣカード３を差し込んでこれらコネクタ９Ａ及びスイッチ９Ｂが確実に動作できるように、底板９Ｃの厚みが設定されるようになされている。
【００２８】
さらにスペーサー７は、配線基板９等を配置して下ケース５に配置した際に、配線基板６、二次電池８の端子６Ｄ、８Ａ、８Ｂが配線基板９側に飛び出すように、配線基板６側に微細な空隙が形成される。スペーサー７は、この隙間より飛び出す端子６Ｄ、８Ａ、８Ｂが配線基板９に半田付けされる。
【００２９】
すなわち配線基板９は、両面が面実装による実装面に設定され、周辺部に形成された貫通孔９Ｈによりスペーサー７の底板、二次電池８側面に配置されるようになされている。配線基板９は、このようにしてスペーサー７に配置して、ＩＣカード３側面に、コネクタ９Ａ及びスイッチ９Ｂが配置される。このうちスイッチ９Ｂは、ＩＣカード３のストッパーとしても機能し、ＩＣカード３が差し込まれると、接点をオン状態に切り換えるようになされている。これに対してコネクタ９Ａは、このようにスイッチ９Ｂがオン状態となるまでＩＣカード３が差し込まれると、ＩＣカード３の接点と接触するようになされている。
【００３０】
さらに配線基板９は、この部品実装面の周縁部に、端子６Ｄ、８Ａ、８Ｂに対応してランド９Ｄが形成され、これにより配線基板９側に飛び出す端子６Ｄ、８Ａ、８Ｂをランド９Ｄ側に折り曲げて半田付けすることができるようになされている。
【００３１】
配線基板９は、残る二次電池８側の実装面にこれら以外の実装部品が配置され、これによりこれらの実装部品がＩＣカード３の挿入を妨害しないようにする。ここでこの二次電池８側に実装される実装部品においては、図４に示すように、二次電池８の充放電を制御する充放電制御回路１５、配線基板１１との間の接続に供するフレキシブル配線基板１２のコネクタ９Ｅ、配線基板６との間の接続に供するフレキシブル配線基板１０のコネクタ９Ｆとにより構成される。
【００３２】
ここで充放電制御回路１５は、放電時においては、二次電池８の放電電流を監視して短絡等の事故による過大な放電電流による放電を防止し、また二次電池８の端子電圧の監視により過放電を防止する。また充電時においては、充電電流の監視により異常な充電を防止し、また過充電を防止する。また充放電制御回路１５は、これら充放電の際に、二次電池８の温度を監視し、異常な発熱を防止する。
【００３３】
配線基板９においては、図５に裏面より見て示すように、この充放電制御回路１５が、長方形形状による樹脂パッケージの集積回路ＩＣ１、同様の樹脂パッケージによるトランジスタＱ１及びＱ２により形成される。さらにこれら３つの集積回路ＩＣ１、トランジスタＱ１及びＱ２のパッケージの上端面がほぼ二次電池８のスペーサー７側面に接触するように形成され、これにより二次電池８の温度変化を迅速に検出して確実に充放電制御できるようになされている。
【００３４】
配線基板９は、このように二次電池８側に実装されてなるトランジスタＱ１及びＱ２が並んで配置され、これらトランジスタＱ１及びＱ２を間に挟むように、スペーサー９Ｇが部品実装面に接着により配置される。ここでこのスペーサー９Ｇは、部品実装面からの高さが、トランジスタＱ１及びＱ２のパッケージの上端面とほぼ一致するように形成され、これによりこのように二次電池８に近接して配線基板９を配置して、衝撃等によりスペーサー７が撓んだ場合に、トランジスタＱ１及びＱ２、集積回路ＩＣ１に与えられる衝撃を緩和し、断線、短絡等の事故を有効に回避できるようになされている。
【００３５】
配線基板９は、ランド９Ｄを介して二次電池８の正側及び負側電極がこの充放電制御回路１５に接続され、またランド９Ｄを介してこの充放電制御回路１５が配線基板６に接続され、これにより情報携帯端末１に電力を供給し、また二次電池８を充電できるようになされている。
【００３６】
また配線基板９は、スイッチ９Ｂの接点出力、コネクタ９Ａの各端子がコネクタ９Ｅ、フレキシブル配線基板１２を介して配線基板１１に導かれ、さらにこの配線基板１１の入出力がフレキシブル配線基板１２、コネクタ９Ｅを順次介してこの配線基板９に導かれた後、コネクタ９Ｆ、フレキシブル配線基板１０を介して配線基板６に接続される。
【００３７】
ここで入出力回路１６は、スイッチ９Ｂの接点を監視することにより、ＩＣカード３の装着、脱着を検出して通知する。さらに配線基板９、フレキシブル配線基板１２を介して得られる情報携帯端末１からの制御によりＩＣカード３に記録された情報を読み出して出力し、またこれとは逆に情報携帯端末１からの情報をメモリカード３に記録する。
【００３８】
配線基板１１は、この入出力回路１６が長方形形状による樹脂パッケージの集積回路ＩＣ２（図３）により形成される。配線基板１１は、配線基板９と同様に、スペーサー７の二次電池８側に配置される。配線基板１１は、スペーサー７に配置して、スペーサー７側となる面が面実装に係る部品実装面に形成され、スペーサー７の開口７Ｅに対応する部位にコネクタ１１Ａが配置されるのに対し、開口７Ｆに対応する部位に集積回路ＩＣ２が配置されるようになされている。これにより配線基板１１は、スペーサー７に開口を有効に利用して、二次電池８を配置するスペースを十分に確保するようになされている。
【００３９】
なおこのようにして配線基板９及び１１を配置した場合、配線基板９においては、二次電池８との間で十分な絶縁距離を確保することができるのに対し、配線基板１１においては、二次電池８に裏面が密着する場合も考えられることにより、配線基板９に比して、十分な絶縁距離を確保できなくなり、二次電池８の外装による絶縁と、配線基板１１の裏面の絶縁層により二次電池８との間の絶縁が保たれることになる。しかしながら配線基板９においては、エネルギー密度の高い二次電池８の充放電制御に係る回路部品を実装するのに対し、配線基板１１においては、ＩＣカード３の入出力に係るインターフェースを構成するものであることから、このように配線基板９と分離することにより、二次電池８に近接して保持するようにしても、十分な信頼性を確保することができる。
【００４０】
上ケース４は、下ケース５に、二次電池８、スペーサー７等を配置した後、下ケース５に配置されて接着等により固定される。上ケース４は、下ケース５と同様に、樹脂材料を射出成形して形成され、内側壁面によりＩＣカード３の側面をガイドし、またＩＣカード３を差し込む開口２Ａが形成されるようになされている。スペーサー７は、下ケース５に配置した際に、側面が上ケース４側に飛び出すように形成され、上ケース４は、下ケース５の側面に側面が突き当たり、さらに側面の内側がこのスペーサー７の飛び出した部位に突き当たるようになされている。
【００４１】
（２）実施の形態の動作
以上の構成において、このバッテリパック２においては（図２）、情報携帯端末１の背面に配置されて、この情報携帯端末１に駆動用の電源を供給し、またこの情報携帯端末１に装着されたまま情報携帯端末１を充電装置に接続して、さらにはこの情報携帯端末１より取り外して充電装置に装着して、充電装置からの電源により充電される。またバッテリパック２は、情報携帯端末１の背面に配置して、開口２ＡよりＩＣカード３が差し込まれると、さらにはこのようにして差し込んだＩＣカード３が引き抜かれると、情報携帯端末１にこれらが通知される。またＩＣカード３が差し込まれた状態で、ユーザーによる情報携帯端末１の操作により、情報携帯端末１に保持された各種の情報がＩＣカード３に記録され、またこれとは逆にＩＣカード３に記録された情報が情報携帯端末１によりアクセスされる。これによりこの実施の形態においては、バッテリパック２をＩＣカード３のインターフェースに兼用することができ、その分、情報携帯端末１に接続可能な機器を増大させ、情報携帯端末１の使い勝手を向上することができる。
【００４２】
バッテリパック２においては、情報携帯端末１の凹部１Ａに配置されて装着され、情報携帯端末１に装着した際に、情報携帯端末１の裏面より盛り上がるように形成され、この盛り上がった部位の下側側面にＩＣカード３を差し込む開口２Ａが形成され、またこの盛り上がった部位にＩＣカード３の入出力回路１６（図４）が二次電池８の充放電制御回路１５と共に配置される。
【００４３】
すなわちバッテリパック２においては（図３）、配線基板９に充放電制御回路１５、コネクタ９Ａ、スイッチ９Ｂ等が実装され、また配線基板１１に入出力回路１６、コネクタ１１Ａが実装され、これら配線基板９及び１１がフレキシブル配線基板１２により接続されてスペーサー７に配置される。さらに下ケース５に端子６Ｄ、コネクタ６Ｃ、フレキシブル配線基板１０等を配置してなる配線基板６が配置され、この下ケース５に、二次電池８が配置された後、フレキシブル配線基板１０により配線基板６及び９が接続されてスペーサー７が配置される。また端子６Ｄ、８Ａ、８Ｂが折り曲げられてランド９Ｄに半田付けされた後、上ケース４が配置される。
【００４４】
これによりこのバッテリパック２においては、充放電制御回路を構成する電子部品を二次電池８側面に面実装してなる第１の配線基板９と、これは逆側の面に電子部品を面実装し、二次電池側面には何ら電子部品を面実装していない第２の配線基板１１とが、二次電池８に沿って配置される。
【００４５】
これにより第１の配線基板９に実装されてなる充放電制御回路を構成する電子部品については、二次電池８に接近させて、ほとんど密着するように保持することができ、二次電池８との間の熱的な結合が大きくすることができる。これによいバッテリパック２において、この充放電制御回路においては、二次電池８の温度変化に敏感に反応して温度特性に係る各種制御の精度を向上することができる。すなわち満充電容量、放電可能容量等においては、温度により変化することにより、これら満充電の制御、過放電を防止した放電の制御等について精度を向上することができる。また急激な二次電池８の温度変化についても対応することができ、これにより事故等に迅速に対応することができる。
【００４６】
またこのようにして配置して、第１の配線基板９においては、樹脂モールドによる集積回路、トランジスタが配置され、これらの電子部品の面実装が二次電池８側であることにより、これら電子部品が二次電池８に接触しても、半田付けの部分、さらには配線基板９のランド、配線パターンにあっては、十分な絶縁距離を確保することができる。これにより十分な信頼性を確保することができる。
【００４７】
これに対して第２の配線基板１１においては、第１の配線基板９と共に、二次電池８に沿って配置されることにより、十分な面積を確保することができる。また何ら電子部品を実装していない面を二次電池８側に設定することにより、この二次電池８側の面の配線基板１１に適用される絶縁処理により絶縁して、この配線基板１１に実装するＩＣカード３の入出力回路１６については、十分な絶縁を確保して、十分な信頼性を確保することができる。
【００４８】
これにより厚みの増大を有効に回避して、ＩＣカード３のインターフェースを兼用することができる。
【００４９】
このようにして電子部品を実装してなる第２の配線基板１１においては、スペーサー７の対応する部位に開口が形成されていることにより、その分バッテリパック２においては、厚みを少なくすることができる。
【００５０】
（３）実施の形態の効果
以上の構成によれば、電池側の面に電子部品を面実装してなる第１の配線基板と、これとは逆側の面に電子部品を面実装し、電池側の面に、電子部品を面実装していない第２の配線基板とを、電池に沿って配置することにより、厚みの増大を極力少なくして、ＩＣカード等のインターフェースを兼用することができる。
【００５１】
またこの第１及び第２の配線基板を接続し、電力を出力するコネクタ６Ｂを第２の配線基板と情報携帯端末１との接続に兼用することにより、全体構成を簡略化することができる。
【００５２】
また第１の配線基板を介して、第２の配線基板を情報携帯端末に接続することにより、内部接続についても構成を簡略化することができる。
【００５３】
また射出成形体であるスペーサーにおいて、第２の配線基板に実装された電子部品に対応する部位に開口を形成することにより、その分、全体の厚みを薄くすることができる。
【００５４】
（４）他の実施の形態
なお上述の実施の形態においては、第１の配線基板側に、ＩＣカードの挿入を検出するスイッチ、コネクタを配置する場合について述べたが、本発明はこれに限らず、ＩＣカードの差し込み口を逆側に作成し、又はＩＣカードの差し込みの方向を逆向きにする等により、第２の配線基板側にスイッチ、コネクタを配置するようにしてもよい。
【００５５】
また上述の実施の形態においては、ＩＣカードの入出力回路を第２の配線基板側に構成する場合について述べたが、本発明はこれに限らず、切手大の大きさによるメモリカードのインターフェースを構成する場合、赤外線通信等のインターフェースを構成する場合等にも広く適用することができる。
【００５６】
また上述の実施の形態においては、非水系二次電池によるバッテリパックに本発明を適用する場合について述べたが、本発明はこれに限らず、種々の二次電池によるバッテリパック、さらには充電困難な電池によるバッテリパックに広く適用することができる。
【００５７】
また上述の実施の形態においては、ＰＤＡのバッテリパックに本発明を適用する場合について述べたが、本発明はこれに限らず、例えば携帯電話等、各種の情報携帯端末のバッテリパック、さらには各種映像機器、音響機器のバッテリパック等に広く適用することができる。
【００５８】
【発明の効果】
上述のように本発明によれば、電池側の面に電子部品を面実装してなる第１の配線基板と、これとは逆側の面に電子部品を面実装し、電池側の面に、電子部品を面実装していない第２の配線基板とを、電池に沿って配置することにより、厚みの増大を極力少なくして、ＩＣカード等のインターフェースを兼用することができる。
【図面の簡単な説明】
【図１】本発明の実施の形態に係るバッテリパックを示す分解斜視図である。
【図２】本発明の実施の形態に係るバッテリパックを情報携帯端末と共に示す斜視図である。
【図３】図２のバッテリパックのスペーサーを周辺構成と共に示す分解斜視図である。
【図４】図２のバッテリパックの接続を示すブロック図である。
【図５】第１の配線基板の二次電池側面を示す平面図である。
【符号の説明】
１……情報携帯端末、２……バッテリパック、３……メモリカード、４……下ケース、５……上ケース、６、９、１１……配線基板、７……スペーサー、８……二次電池、１０、１２……フレキシブル配線基板
【図１】
0003587191.tif 000002
【図２】
0003587191.tif 000003
【図３】
0003587191.tif 000004
【図４】
0003587191.tif 000005
【図５】
0003587191.tif 000006